(57)【特許請求の範囲】
【請求項１】
周囲温度に応じて抵抗値の変化するサーミスタに火災表示素子を接続したセンサ部と、センサ部に対する分圧抵抗を有して分圧値に基づき周囲温度を計測して火災検出を行う信号処理部とを備える火災感知器において、
前記信号処理部が前記分圧値を得るために前記センサ部に電圧を印加する時間を、前記火災表示素子の点灯が視認されない程度に短くするとともに、前記信号処理部が前記分圧値から火災である旨の判断を下した後は、前記センサ部に電圧印加する時間を、前記火災表示素子の点灯が視認される程度に長くするようにしたことを特徴とする火災感知器。
【請求項２】
前記火災表示素子は双極性表示素子であることを特徴とする請求項１記載の火災感知器。
【発明の詳細な説明】
【０００１】
【発明の属する技術分野】
本発明は、火災報知装置に用いられる、火災検出表示機能付の火災感知器に関する。
【０００２】
【従来の技術】
図３は従来の火災感知器を説明する回路図である。図３に示すように、火災感知器１は、センサ部２と信号処理部３とを備える。センサ部２は、サーミスタ２０と火災表示素子に相当する発光ダイオード２１とを並列接続して構成され、この並列接続された発光ダイオード２１のカソード側は接続端子ａに、発光ダイオード２１のアノード側は接続端子ｂにそれぞれ接続される。サーミスタ２０は、周囲温度に応じた抵抗値に変化する。発光ダイオード２１は、逆方向には電流を流さず消灯状態にあるものの、順方向には電流を流して発光する。
【０００３】
信号処理部３は、マイコン３０と、極性反転回路３１と、火災信号回路３２と、分圧抵抗兼電流制限抵抗である抵抗Ｒ0 と、スイッチＳＷ0 と、接続端子Ａと、接続端子Ｂとを含んで構成される。マイコン３０は、第１のポートＰ1 と、第２のポートＰ2 と、第３のポートＰ3 とを備えるとともに、内部にＡ／Ｄ変換回路３３を備える。Ａ／Ｄ変換回路３３は、第２のポートＰ2 に入力されるアナログ電圧をデジタル値に変換して、火災信号回路３２へ出力する。
【０００４】
極性反転回路３１は、２個の共通端子Ｃ1,Ｃ2 と４個の接点Ｄ1,Ｄ2,Ｄ3,Ｄ4 と、共通端子Ｃ1 に接続する可動片Ｅ1 と、共通端子Ｃ2 に接続する可動片Ｅ2 とを備える。接点端子Ｄ1 と接点端子Ｄ3 とは接続端子Ａに接続され、接点端子Ｄ2 と接点端子Ｄ4 とは接続端子Ｂに接続される。共通端子Ｃ1 は、第２のポートＰ2 に接続するとともに、抵抗Ｒ0 とスイッチＳＷ0 とを介して陽極電源ＶDDに接続する。共通端子Ｃ2 はアースに接続する。また、スイッチＳＷ0 は第１のポートＰ1 によって制御され、可動片Ｅ1,Ｅ2 は第３のポートＰ3 によって制御される。
【０００５】
火災信号回路３２は、Ａ／Ｄ変換回路３３からのデジタル値に基づいて火災であるか否かを判断し、火災であると判断した際には、火災信号を火災受信機へ出力するとともに、その旨をマイコン３０へ出力するようにされている。なお、接続端子Ａは接続端子ａに、接続端子Ｂは接続端子ｂにそれぞれ接続される。
【０００６】
上述のような、従来の火災感知器１にあっては、次のように動作する。すなわち、先ず、火災感知器１は、マイコン３０の第１のポートＰ1 をHighにすることによってスイッチＳＷ0 をオンするとともに、第３のポートＰ3 をLow にすることによって、共通端子Ｃ1 を可動片Ｅ1 によって接点Ｄ1 に接続し、共通端子Ｃ2 を可動片Ｅ2 によって接点Ｄ4 に接続する。すると、陽極電源ＶDDの電圧は抵抗Ｒ0 とサーミスタ２０とで分圧される。この分圧された電圧は、サーミスタ２０の検出する周囲温度に応じた電圧値になって、第２のポートＰ2 を介してＡ／Ｄ変換回路３３に入力され、デジタル値に変換される。このデジタル値への変換が終了すると、火災感知器１は、マイコン３０の第１のポートＰ1 をLow にすることによってスイッチＳＷ0 をオフし、周囲温度計測を終了する。
【０００７】
火災信号回路３２は、上記手順によって求まったデジタル値から周囲温度を求め、その温度が火災と判断できる温度に達していれば、火災信号を火災受信機へ出力するとともに、その旨をマイコン３０へ出力する。すると、マイコン３０は、マイコン３０の第１のポートＰ1 をHighにすることによってスイッチＳＷ0 をオンするとともに、第３のポートＰ3 をHighにすることによって、共通端子Ｃ1 を可動片Ｅ1 にて接点Ｄ2 に接続し、共通端子Ｃ2 を可動片Ｅ2 にて接点Ｄ3 に接続する。
【０００８】
すると、陽極電源ＶDDからの電流は、スイッチＳＷ0 →抵抗Ｒ0 →共通端子Ｃ1 →可動片Ｅ1 →接点Ｄ2 →接続端子Ｂ→接続端子ｂ→発光ダイオード２１およびサーミスタ２０→接続端子ａ→接続端子Ａ→接点Ｄ3 →可動片Ｅ2 →共通端子Ｃ2 →アースの経路で流れ、発光ダイオード２１は点灯する。そして、一定時間経過毎に、マイコン３０の第１のポートＰ1 をHigh→Low →High→Low …することによってスイッチＳＷ0 をオン→オフ→オン→オフ…せしめ、発光ダイオード２１の点滅を行う。
【０００９】
つまり、発光ダイオード２１が点滅している火災感知器１が、火災を感知した火災感知器１であるというように、従来の火災感知器１にあっては、火災を感知した火災感知器１が特定できるようにされている。
【００１０】
【発明が解決しようとする課題】
しかしながら、上述のような従来の火災感知器にあっては、周囲温度の計測と発光ダイオードの点滅とをともに行うには、極性反転回路３１が必要であるとともに、極性反転回路３１を制御するためのマイコン３０の第３のポートＰ3 が必要である。従って、それだけ回路構成が複雑になり、コストも嵩むという問題点があった。
【００１１】
本発明は、このような問題点を解決するためになされたものであり、周囲温度の計測と火災表示素子の点灯とをともに行うことができる上に、回路構成が簡単で且つ安価に構成できる、優れる、火災感知器を提供することにある。
【００１２】
【課題を解決するための手段】
請求項１記載の発明にあっては、周囲温度に応じて抵抗値の変化するサーミスタに火災表示素子を接続したセンサ部と、センサ部に対する分圧抵抗を有して分圧値に基づき周囲温度を計測して火災検出を行う信号処理部とを備える火災感知器において、前記信号処理部が前記分圧値を得るために前記センサ部に電圧を印加する時間を、前記火災表示素子の点灯が視認されない程度に短くするとともに、前記信号処理部が前記分圧値から火災である旨の判断を下した後は、前記センサ部に電圧印加する時間を、前記火災表示素子の点灯が視認される程度に長くするようにしたことを特徴とするものである。
【００１３】
請求項２記載の発明にあっては、前記火災表示素子は双極性表示素子であることを特徴とするものである。
【００１４】
【発明の実施の形態】
以下、本発明に係る火災感知器の、第１の実施の形態を図１に基づいて、第２の実施の形態を図２に基づいて、それぞれ詳細に説明する。
【００１５】
［第１の実施の形態］
図１は火災感知器を説明する回路図である。図１に示すように、この火災感知器１は、センサ部２と信号処理部３とを備える。センサ部２は、サーミスタ２０と火災表示素子に相当する発光ダイオード２１とを直列接続して構成され、この直列接続された発光ダイオード２１のアノード側は接続端子ａに、発光ダイオード２１のカソード側は接続端子ｂにそれぞれ接続される。サーミスタ２０は、周囲温度に応じた抵抗値に変化する。発光ダイオード２１は、逆方向には電流を流さず消灯状態にあるものの、順方向には電流を流して発光する。
【００１６】
信号処理部３は、マイコン３０と、火災信号回路３２と、分圧抵抗兼電流制限抵抗である抵抗Ｒ0 と、スイッチＳＷ0 と、接続端子Ａと、接続端子Ｂとを含んで構成される。マイコン３０は、第１のポートＰ1 と、第２のポートＰ2 とを備えるとともに、内部にＡ／Ｄ変換回路３３を備える。Ａ／Ｄ変換回路３３は、第２のポートＰ2 に入力されるアナログ電圧をデジタル値に変換して、火災信号回路３２へ出力する。
【００１７】
接続端子Ａは、第２のポートＰ2 に接続するとともに、抵抗Ｒ0 とスイッチＳＷ0 とを介して陽極電源ＶDDに接続する。接続端子Ｂはアースに接続する。また、スイッチＳＷ0 は第１のポートＰ1 によって制御される。
【００１８】
火災信号回路３２は、Ａ／Ｄ変換回路３３からのデジタル値に基づいて火災であるか否かを判断し、火災であると判断した際には、火災信号を火災受信機へ出力するとともに、その旨をマイコン３０へ出力する。すると、マイコン３０は、マイコン３０の第１のポートＰ1 をHighにすることによってスイッチＳＷ0 をオンするようにされている。なお、接続端子Ａは接続端子ａに、接続端子Ｂは接続端子ｂにそれぞれ接続される。
【００１９】
上述のような、火災感知器１にあっては、次のように動作する。すなわち、先ず、火災感知器１は、マイコン３０の第１のポートＰ1 をHighにすることによってスイッチＳＷ0 をオンする。すると、陽極電源ＶDDの電圧は抵抗Ｒ0 とサーミスタ２０とで略分圧される。なお、この場合、発光ダイオード２１には順方向の電圧が印加されるので、発光ダイオード２１に印加される電圧は略一定値とみなすことができる。
【００２０】
この分圧された電圧は、サーミスタ２０の検出する周囲温度に応じた電圧値になって、第２のポートＰ2 を介してＡ／Ｄ変換回路３３に入力され、デジタル値に変換される。このデジタル値への変換が終了すると、火災感知器１は、マイコン３０の第１のポートＰ1 をLow にすることによってスイッチＳＷ0 をオフし、周囲温度計測を終了する。
【００２１】
しかも、ここがこの発明の大切なところであるが、このマイコン３０の第１のポートＰ1 をHighにすることによってスイッチＳＷ0 をオンにすることから始まって、第２のポートＰ2 を介してＡ／Ｄ変換回路３３に入力される分圧された電圧をデジタル値に変換し、デジタル値への変換を終了して、マイコン３０の第１のポートＰ1 をLow にすることによってスイッチＳＷ0 をオフするまでの一連の動作を、発光ダイオード２１の発光が人の目にとまらぬ速さで実行するようにしている。
【００２２】
火災信号回路３２は、上記手順によって求まったデジタル値から周囲温度を求め、その温度が火災と判断できる温度に達していれば、火災信号を火災受信機へ出力するとともに、その旨をマイコン３０へ出力する。すると、マイコン３０は、マイコン３０の第１のポートＰ1 をHighにすることによってスイッチＳＷ0 をオンする。
【００２３】
すると、陽極電源ＶDDからの電流は、スイッチＳＷ0 →抵抗Ｒ0 →接続端子Ａ→接続端子ａ→サーミスタ２０→発光ダイオード２１→接続端子ｂ→接続端子Ｂ→アースの経路で流れ、発光ダイオード２１は点灯する。そして、一定時間経過毎に、マイコン３０の第１のポートＰ1 をHigh→Low →High→Low …  することによってスイッチＳＷ0 をオン→オフ→オン→オフ…せしめ、発光ダイオード２１の点滅を行う。つまり、この火災感知器１にあっても、従来の火災感知器と同様、発光ダイオード２１が点滅している火災感知器１が、火災を感知した火災感知器１であるというように、火災を感知した火災感知器１を特定できることになる。
【００２４】
［第２の実施の形態］
図２は火災感知器を説明する回路図である。図２に示すように、この火災感知器１が、第１の実施の形態の火災感知器と異なり特徴となるのは、火災表示素子としての発光ダイオード２１を双極性表示素子に相当する双極性発光ダイオード２２にした構成である。
【００２５】
つまり、第１の実施の形態の火災感知器にあっては、接続端子Ａには発光ダイオード２１のアノード側を接続しなければならず、接続を間違えると、温度計測は勿論のこと発光ダイオードの点灯もできないが、この図２に示す第２の実施の形態の火災感知器１にあっては、双極性発光ダイオード２２を採用しているので極性はなくなり、接続間違えによるトラブルをなくすことができる。しかも、特に、センサ部２と信号処理部３とが分離されていて、現場施工時においてセンサ部２と信号処理部３とが結線されるような火災感知器にあっては、施工作業者の不注意に起因する接続間違えによるトラブルをなくすことができる。
【００２６】
【発明の効果】
本発明の火災感知器は上述のように構成されているので、請求項１記載の発明にあっては、回路構成が簡単で且つ安価である上に、周囲温度の計測と火災表示素子の点灯とをともに行うことができる、優れる、火災感知器を提供できるという効果を奏する。
【００２７】
請求項２記載の発明にあっては、請求項１記載の発明の効果に加えて更に、センサ部と信号処理部とが分離している火災感知器においては、特に施工作業者の不注意に起因する接続間違えによるトラブルをなくすことができる、優れる、火災感知器を提供できるという効果を奏する。
【図面の簡単な説明】
【図１】本発明に係る第１の実施の形態の火災感知器を説明する回路図である。
【図２】本発明に係る第２の実施の形態の火災感知器を説明する回路図である。
【図３】従来の火災感知器を説明する回路図である。
【符号の説明】
１        火災感知器
２        センサ部
２０      サーミスタ
２１      火災表示素子
２２      双極性表示素子
３        信号処理部
Ｒ0       分圧抵抗
【図１】
0003744261.tif 000002
【図２】
0003744261.tif 000003
【図３】
0003744261.tif 000004